(57)【要約】      （修正有）【課題】足関節への帯状の本体部１の密着性が良好であり且つ装着時に滑ることがないバンテージを提供する。【解決手段】スリット付きバンテージは、帯状の本体部１と、巻回された本体部１を締結する締結手段とからなる。この帯状の本体部は、中央帯部１１と先端帯部１２と後端帯部１３とからなり、中央帯部にスリット１０を備える。このスリットに踵がはまり込んだ状態で、帯状の本体部は足関節や足関節の周囲の足裏や足首に巻回される。そして、締結手段によって、装着された帯状の本体部を締結する。足関節への本体部の密着性が良好であり且つ装着時に滑らず、長時間の装着でも安定した足関節の固定を実現する。【選択図】図１
0003193038.tif 000002
【実用新案登録請求の範囲】
【請求項１】
足関節に巻回して足関節を固定する帯状の本体部と巻回された該本体部の後端部を該後端部より先端側の該本体部の表側に締結する締結手段とを有するバンテージであって、
前記本体部は長手方向に伸び踵がはまり込むスリットを持つ中央帯部と、
前記中央帯部から先端側に延び少なくとも足首を１周して踵がはまり込んだ該中央帯部に連結するに十分の長さを持つ先端帯部と、
前記中央帯部から後端側に延び少なくとも踵がはまり込んだ該中央帯部から延び足首を１周する長さを持つ後端帯部と、からなることを特徴とするスリット付きバンテージ。
【請求項２】
前記先端帯部は、その先端がくるぶしの上から足裏を回るさらなる長さを持つ請求項１に記載のスリット付きバンテージ。
【請求項３】
前記後端帯部は、足の甲から足裏を回り踵の外側を通り内くるぶしを通るさらなる長さを持つ請求項１または２に記載のスリット付きバンテージ。
【請求項４】
前記先端帯部は、その先端端部の表面と巻回により該表面を覆う裏面とを締結する第２締結手段を持つ請求項１〜３のいずれか１項に記載のスリット付きバンテージ。
【請求項５】
前記本体部により足首の踝に装着されて足首を固定する固定板を持つ請求項１〜３のいずれか１項に記載のスリット付きバンテージ。
【考案の詳細な説明】
【技術分野】
【０００１】
本考案は、足関節を固定するバンテージに関する。
【背景技術】
【０００２】
バンテージは、手首や足関節を固定する帯状のバンテージとして知られている。しかし、装着時における帯状のバンテージの滑りにより、安定した足関節の固定は実現されていなかった。
【先行技術文献】
【特許文献】
【０００３】
【特許文献１】特開２０１０−１４４２８７号公報
【特許文献２】特開２００１−３４６８２４号公報
【考案の概要】
【考案が解決しようとする課題】
【０００４】
本考案は、足関節への帯状の本体部の密着性が良好であり且つ装着時に帯状の本体部が滑ることがないバンテージを提供することを目的とする。
【課題を解決するための手段】
【０００５】
本考案は、足関節に巻回して足関節を固定する帯状の本体部と巻回された該本体部の後端部を該後端部より先端側の該本体部の表側に締結する締結手段とを有するバンテージであって、前記本体部は長手方向に伸び踵がはまり込むスリットを持つ中央帯部と、前記中央帯部から先端側に延び少なくとも足首を１周して踵がはまり込んだ該中央帯部に連結するに十分の長さを持つ先端帯部と、前記中央帯部から後端側に延び少なくとも踵がはまり込んだ該中央帯部から延び足首を１周する長さを持つ後端帯部と、からなることを特徴とする。
【０００６】
本考案のスリット付きバンテージは、足関節に巻回して足関節を固定する帯状の本体部と、帯状の本体部の後端部をこの後端部より先端側の帯状の本体部の表側に締結する締結手段と、を持つ。
【０００７】
帯状の本体部は、踵がはまり込むスリットを有する。このスリットに踵がはまり込んだ状態で、帯状の本体部は足関節に巻回される。そのため、帯状の本体部は、密着性良く足関節に装着される。よって、装着時に足関節を強く固定する。更に、装着時の帯状の本体部は左右上下あらゆる方向に滑らない。
【０００８】
帯状の本体部は、長手方向に若干の伸縮性があると足関節への巻回が良好になる。すなわち、帯状の本体部は、伸縮性や耐久性を考慮した合成高分子材料から形成されていると好ましい。そのため、帯状の本体部は、主成分がポリエステルやナイロンとなる合成高分子材料から形成されているとよい。また、帯状の本体部の滑りをより抑制するため、帯状の本体部に滑り止めを用いてもよい。例えば、帯状の本体部にテープを巻回して、このテープを滑り止めとする。帯状の本体部にシールを貼り付けて、このシールを滑り止めとすることもできる。一方、帯状の本体部の破れや破断を防止するために踵がはまり込むスリットの外周を縫い補強してもよい。
【０００９】
締結手段は、巻回された帯状の本体部の後端部をこの後端部より先端側の帯状の本体部の表側に締結する手段である。締結手段は、マジックテープ（登録商標）により行うと安定した締結が行える。締結手段は、帯状の本体部に固定されていても別体であってもよい。すなわち、帯状の本体部に固定されたマジックテープを用いることができる。また、帯状の本体部と別体であり、帯状の本体部と着脱可能な面ファスナも用いることができる。勿論、帯状の本体部と別体のテープで締結することも可能である。
【００１０】
帯状の本体部は、具体的に、中央帯部と先端帯部と後端帯部とからなる。
【００１１】
「中央帯部」とは、帯状の本体部にあって、先端帯部と後端帯部との間の領域をいう。この中央帯部に踵がはまり込むスリットが備えられる。この中央帯部に備えられたスリットに踵がはまり込んだ状態で、帯状の本体部は足首から土踏まずの周囲に巻回される。
【００１２】
また、踵がはまり込むスリットの形状は、切れ目から形成されると好ましい。このスリットが帯状の本体部の長手方向に平行となる切れ目からなると装着時における帯状の本体部の足関節への密着性がより良好となる。また、装着時における帯状の本体部の滑りもより抑制できる。
【００１３】
「先端帯部」とは、帯状の本体部にあって、帯状の本体部の装着時に最初に足関節に接する帯状の本体部の先端側の端から、中央帯部の先端側の端までの領域をいう。すなわち、この先端帯部は、中央帯部から先端側に延び少なくとも足首を１周して踵がはまり込んだ該中央帯部に連結するに十分の長さを持つ帯部となる。また、先端帯部は、その先端がくるぶしの上から足裏を回るさらなる長さを持つと好ましい。この場合、優れた足関節の固定が実現でき、装着時における帯状の本体部の滑りがより抑制される。勿論、先端帯部の長さは、足関節や足関節周囲の足裏や足首を複数回巻回できる長さであってもよい。先端帯部が複数回巻回されることにより足関節は安定して支持される。
【００１４】
「後端帯部」とは、帯状の本体部にあって、先端側の端と反対側である帯状の本体部の後端側の端から、中央帯部の後端側の端までの領域をいう。すなわち、この後端帯部は、中央帯部から後端側に延び少なくとも踵がはまり込んだ該中央帯部から延び足首を１周する長さを持つ帯部となる。そして、後端帯部は、足の甲から足裏を回り踵の外側を通り内くるぶしを通るさらなる長さを持つとよい。この場合、優れた足関節の固定が実現でき、装着時における帯状の本体部の滑りがより抑制される。勿論、後端帯部の長さは、足関節や足関節周囲の足裏や足首を複数回巻回できる長さであってもよい。後端帯部が複数回巻回されることにより足関節は安定して支持される。
【００１５】
一方、先端帯部は、その先端端部の表面と巻回により該表面を覆う裏面とを締結する第２締結手段を持つものであってもよい。この第２締結手段によって、装着時における帯状の本体部は左右上下あらゆる方向に滑らない。
【００１６】
また、帯状の本体部を締結する第２締結手段は、先端帯部にあって、先端端部よりも中央帯部に近い位置に備えてもよい。すなわち、第２締結手段は、先端端部のみに備えられることに限定されない。更に、第２締結手段は、後端帯部にも備えることもできる。そして、第２締結手段は、複数用いることもできる。
【００１７】
帯状の本体部により足首の踝に装着されて足首を固定する固定板を持つこともできる。すなわち、帯状の本体部は、固定板と一体となって足関節を支持できる。なお、装着時には、歩行時皮膚障害を防ぐ為に固定板の上端は全部固定せず少しあけておくことに留意する。
【００１８】
また、固定板は、装着者の表皮を保護し、足関節の負担を軽減させるために、足首の踝が位置する空間の周囲に弾性力を有する材料を備えることが好ましい。そのため、弾性材料は優れた弾性能力を有する合成高分子材料からなることが好ましい。すなわち、弾性材料はポリウレタンで形成されることが好ましい。
【００１９】
固定板の下方側が山状の形状であると、帯状の本体部を固定板の下方側に良好に巻き付けることができる。この場合、固定板と帯状の本体部は更に一体となって足関節を固定できる。
【考案の効果】
【００２０】
本考案のスリット付きバンテージは、足関節との密着性が良い。そのため、装着時に帯状の本体部のズレや撓みは生じにくい。すなわち、装着時にバンテージが上下左右あらゆる方向滑ることがない。従って、長時間の装着でも安定した足関節の固定を実現する。
【図面の簡単な説明】
【００２１】
【図１】スリット１０を有する中央帯部１１と先端帯部１２と後端帯部１３からなる本体部１である。
【図２】本体部１を締結するオスの面ファスナ２０である。
【図３】実施形態１に係り、スリット付きバンテージの装着の一例である。
【図４】固定板３０の正面図と側面図である。
【図５】実施形態２に係り、固定板併用スリット付きバンテージの装着の一例である。
【考案を実施するための形態】
【００２２】
（実施形態１）
実施形態１に係るスリット付きバンテージは、図１に示す本体部１と、図２に示す面ファスナ２０からなる。
【００２３】
本体部１は、踵がはまり込むスリット１０を備える中央帯部１１と、先端帯部１２と、後端帯部１３と、の３つの帯部からなる。なお、ここで中央帯部１１は、スリット１０をもつ部分であり、該スリット１０の一端から他端までの部分をいう。この本体部１を形成する各帯部の長手方向の長さは、中央帯部１１が１２cm、先端帯部１２が４２cm、後端帯部１３が５８．５cmである。幅方向は、中央帯部１１と先端帯部１２と後端帯部１３は、共に５cmである。厚さは、中央帯部１１と先端帯部１２と後端帯部１３は、共に１mmである。また、本体部１の表面は、オスの面ファスナ２０が結合できるように、多数の細かい輪が固着しているメスとなっている。なお、本体部１の表面は、装着時に足関節が密着しない本体部１の一面をいう。また、本体部１の裏面は、装着時に足関節が密着する本体部１の一面をいう。
【００２４】
面ファスナ２０は、本体部１を締結する締結手段である。すなわち、この面ファスナ２０の一面は、多数の細かい鉤が固着しているオスである。そのため、メスである本体部１の表面と良好に結合できる。従って、足関節に巻回された本体部１を締結することができる。この面ファスナ２０の形状は、下底が５cmで上底が３cmであり、高さが４cmとなる概ね台形形状である。
【００２５】
本実施形態に係るスリット付きバンテージは、上記の構成からなる。
【００２６】
次に、スリット付きバンテージの装着の一例を、図３を用いて説明する。まず、（イ）のように、先端帯部１２の裏面の端部を内踝の少し上に密着させ、そのまま下側に伸ばす。次に、（ロ）のように、土踏まずから踵の間の足裏を巻回して足の外側へ回す。次に、（ハ）のように、足の外側から足首の前方を巻回する。次に、（二）のように、足首の前方から内踝の上を通し、先端帯部１２の端部を固定しつつ足首の後方へ回す。次に、（ホ）のように、足首の後方から外踝の上を通し足首の前方へ回す。次に、（ヘ）のように、足首の前方から足の内側の内踝の下へ回す。次に、（ト）のように、中央帯部１１に備えられたスリット１０に踵を引っ掛ける。次に、（チ）のように、踵を通して足の外側へ回し、後端帯部１３を前方の足首と足の甲との間に回す。次に、（リ）のように、足の内側に回し、土踏まずから踵の間の足裏に回す。次に、（ヌ）に示すように、足裏から踵の外側を回す。次に、（ル）のように、踵の外側から足首の後方を通して内踝の上に回す。最後に（ヲ）のように、オスである面ファスナ２０を用いて、メスである後端帯部１３の端部の表面と、同じくメスである先端帯部１２の表面とを締結する。
【００２７】
本実施形態に係るスリット付きバンテージは、スリット１０に踵がはまり込んだ状態で、本体部１が足関節に巻回される。そのため、このスリット付きバンテージは、足関節との密着性が良く、装着時にズレや撓みは生じず且つ滑らない。
【００２８】
（実施形態２）
実施形態２に係る固定板併用スリット付きバンテージは、実施形態１と同じ本体部１と面ファスナ２０とからなるスリット付きバンテージと、図４に示す固定板３０からなる。なお、実施形態１と同じスリット付きバンテージの説明は、重複記載となるため説明を省略する。
【００２９】
固定板３０は、長辺方向の一方の形状が弧状で他方の形状が山状である板状の硬質部材と弾性を備える部材とから形成される。すなわち、硬質部材が足の表皮に触れないようにするために、固定板３０の装着時に内踝が位置する部分３１の周囲である３１（ａ）と３１（ｂ）に弾性部材を備える。この弾性部材は、硬質部材の幅方向に、肌との接触性が良く且つ伸縮性があるテープで複数回巻回され、硬質部材と一体となる。固定板３０の大きさは、長辺方向の長さが１６cmである。内踝が位置する部分３１の幅方向の長さが４．８cmである。厚さは、内踝が位置する３１が４mm、その周囲３１（ａ）と３１（ｂ）が６mmである。
【００３０】
本実施形態に係る固定板併用スリット付きバンテージは、上記の構成からなる。
【００３１】
次に、固定板併用スリット付きバンテージの装着の一例を、図５を用いて説明する。まず、（イ）のように、固定板３０を内踝に装着し、先端帯部１２の裏面の端部を固定板３０の下方に密着させてから下側に伸ばす。次に、（ロ）のように、土踏まずから踵の間の足裏を巻回して足の外側へ回す。次に、（ハ）のように、足の外側から足首の前方を巻回する。次に、（ニ）のように、足首の前方から内踝の上を通して先端帯部１２の端部と固定板３０の中央を固定しつつ足首の後方へ巻回する。次に、（ホ）のように、足首の後方から外踝の上を通して足首の前方へ巻回する。次に、（ヘ）のように、足首の前方から固定板３０の下方を巻回する。次に、（ト）のように、中央帯部１１に備えられたスリット１０に踵を引っ掛ける。次に、（チ）のように、踵を通して足の外側へ回し、後端帯部１３を足首の前方に巻回する。次に、（リ）のように、足首の前方から内踝の上を通して足首の後方へ巻回する。次に、（ヌ）のように、足首の後方から足首の前方を巻回する。最後に（ル）のように、固定板３０の上方を巻回して、オスである面ファスナ２０を用いて、メスである後端帯部１３の端部の表面と、同じくメスである後端帯部１３の表面とを締結する。なお、歩行時皮膚障害を防ぐ為に固定板３０の上端は少しあけておくことに留意する。
【００３２】
本実施形態に係る固定板併用スリット付きバンテージは、本体部１と固定板３０が一体となって足関節を固定する。従って、実施形態１に係るスリット付きバンテージよりも足関節を強く固定できる。
【符号の説明】
【００３３】
１は本体部、１０はスリット、１１は中央帯部、１２は先端帯部、１３は後端帯部、２０はオスの面ファスナ、３０は固定板、３１は固定板３０の装着時に内踝が位置する部分を示す。
【図１】
0003193038.tif 000003
【図２】
0003193038.tif 000004
【図３】
0003193038.tif 000005
【図４】
0003193038.tif 000006
【図５】
0003193038.tif 000007